(57)【特許請求の範囲】
【請求項１】
競馬開催日に預金の引出・振込ができない契約がなされた金融機関の指定口座であるロック口座に投票資金を予め預金して勝馬投票が行える会員制の加入者が操作を行うＷｅｂブラウザを有するパソコンと、インターネット対応の各社携帯電話の各会員端末からそれぞれ対応するインターネット回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或いはその投票内容照会結果を前記応答サブシステムから前記インターネットを介して前記会員端末へ送信する複数の応答サブシステムからなる電話回線経由投票システムにおいて、
前記電話回線経由投票システムは会員のＷｅｂブラウザ付パソコンの会員端末からインターネットを経由して入力する投票依頼信号或はキャッシュレス・カード決済指令信号に応答するパソコン応答サブシステムと、会員のインターネット各社携帯電話の会員端末からそれぞれインターネット対応各社携帯電話のインターネット回線網を経由して入力する投票依頼信号或はキャッシュレス・カード決済指令信号に応答する各社携帯電話応答サブシステムと、その応答サブシステムからのカード決済要求に応答してインターネットを介してカードシステムセンタと交信し、カードＩＤコード・暗証番号及び名前により本人と利用限度額を確認し、加入者管理ファイルを作成しキャッシュレス・カードからロック口座の入金更新を行い、キャッシュレス・カードにより投票処理が応答サブシステムで可能にさせるカード決済サブシステムと、それら応答サブシステムと決済サブシステムを中継する中継サーバと総合運用監視装置とから構成され、
前記応答サブシステムは、それぞれファイアウォール、Ｗｅｂサーバ、投票応答コンピュータを備え、
前記投票応答コンピュータは、会員端末からの入力信号を受信する毎に投票依頼かカード決済かを判断しカードに関するデータが無ければ投票依頼として投票に関するデータに基づいて総合センタと交信し、投票受付処理或いは投票に関する各種情報照会処理を開始し、その処理結果を会員端末へ報告返信する投票応答手段と、入力信号の中にカードに関するデータが有ればカード決済として、そのカードに関するデータをカード決済サブシステムへ中継サーバを介して出力し、カード決済処理させるカード決済応答手段と、カード決済サブシステムにおいて、カードによる入金額をロック口座に加算処理した加入者管理ファイルを作成し更新した結果をその決済サブシステムから中継サーバを介して入力し、当該会員端末へ送信し、表示させるファイルの更新データ送信・表示を行なう更新データ送信表示手段とを備え、
一方、カード決済サブシステムの決済コンピュータは、そのデータベースにロック口座、カードによる入金額を記録する加入者管理ファイルを設け、  応答コンピュータからのカード情報データを入力してそのデータのカードＩＤコード、暗証番号及び名前によりインターネットを介してカードシステセンタに本人確認と、カードによる利用限度額を照会確認するカード利用額確認手段と、カード利用限度額を確認すれば加入者管理ファイルのロック口座残高にカードによる入金額を加算更新しその処理結果を応答コンピュータへ中継サーバを介して出力するロック口座更新手段とを備えることを特徴とするキャッシュレス・カード決済機能付電話回線経由投票システム。
【請求項２】
競馬開催日に預金の引出・振込ができない契約がなされた金融機関の指定口座であるロック口座に投票資金を予め預金して勝馬投票が行える会員制の加入者が操作を行うＷｅｂブラウザを有するパソコンと、インターネット対応の各社携帯電話の各会員端末からそれぞれ対応するインターネット回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或いはその投票内容照会結果を前記応答サブシステムから前記インターネットを介して前記会員端末へ送信する複数の応答サブシステムからなる電話回線経由投票システムにおいて、
前記電話回線経由投票システムは会員のＷｅｂブラウザ付パソコンの会員端末からインターネットを経由して入力する信号する応答パソコン応答サブシステムと、会員のインターネット対応各社携帯電話の会員端末からそれぞれインターネット対応各社携帯電話のインターネット回線網を経由して入力する信号に応答する各社携帯電話応答サブシステムと、その応答サブシステムからのカード決済に応答してインターネットを介してカードシステムセンタとインターネットを介し交信し、カード入金額照会確認し、加入者管理ファイルを作成更新し、カード入金を加算したロック口座によりがそれぞれの応答サブシステムで投票処理を可能とさせるカード決済サブシステムと、中継サーバと総合運用監視装置とから構成し、
前記応答サブシステムは、それぞれファイアウォール、Ｗｅｂサーバ、投票応答コンピュータを備え、
前記投票応答コンピュータは会員端末からの入力信号を受信して、投票データとキャッシュレス・カードに関するデータとからなる投票依頼信号に応答してカードに関するデータをカード決済サブシステムへ中継し処理させるカード加算データ中継手段と、もしカードに関するデータがなければ、通常の投票処理を行う投票データ処理手段とを備え、また、その投票応答コンピュータは、カード決済サブシステムにおける加入者管理ファイル作成した更新結果を中継サーバを介して入力し会員端末へ送信し表示させると共にカードデータと投票データにより投票処理手段を行う更新加入者管理ファイル送信・表示・投票データ処理手段とを備え、
前記カード決済サブシステムは、ファイアウォール、Ｗｅｂサーバ及びカード決済コンピュータとそのコンピュータにより管理されたデータベースを備え、そのデータベースはロック口座に加えてデビット或いはクレジットカード残高項目のある加入者管理ファイルをその中に設け、応答コンピュータからのカード情報データを入力して本人認証と利用限度額を照会確認するカード利用額確認手段と、確認すればその加入者管理ファイルのロック口座に加算するカード残高を更新し、その結果データを応答コンピュータへ中継サーバを介して出力するロック口座更新手段とを備え、
その開催１節終了後にカードで入金された投票資金をインターネットを介してカードシステムセンタへ請求して入金させる処理を行うことを特徴とするキャッシュレス・カード決済機能付電話回線経由投票システム。
【発明の詳細な説明】
【０００１】
【発明の属する技術分野】
本発明は競馬開催日に預金の引出・振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員端末からそれぞれ対応するインターネットを経由して勝馬投票を行うシステムにおいて、競馬開催日であってもデビットカード或いはクレジットカードの決済機能を有し、会員のロック口座残高が投票購入に不足していても、そのカードにより競馬開催日でも決済可能な機能を備える電話回線経由投票システムに関する。
【０００２】
【従来の技術】
電話回線による従来の通信回線経由の標準的な投票システムを図７に示し説明する。前述のように競馬開催日に預金の引出・振込ができないようにしたロック口座に投票資金を予め預金してインターネット２１、２２を介して勝馬投票が行える会員制の投票システム１００を図７の中段に１実施例として示してある。
【０００３】
この電話回線経由投票システム１００は２つのサブシステム１０１、１０２からなる。１０１は会員のＷｅｂブラウザ付パソコン３１、３１からインターネット２１を介するアクセス信号に応答するパソコン応答サブシステムであり、ファイアウォール１０１ａ、Ｗｅｂサーバ１０１ｂ、投票・情報照会応答コンピュータ１０１ｃからなる。１０２は、会員のインターネット対応携帯電話３２、３２からその各社インターネット対応携帯電話網２２を介するアクセス信号に応答する各社携帯電話応答サブシステムであり、ファイアウォール１０２ａ、Ｗｅｂサーバ１０２ｂ、投票・情報照会応答コンピュータシステム１０２ｃからなる。さらに、それらを綜合する総合運用監視装置１０５を備える。
【０００４】
これらの応答サブシステム１０１、１０２は図７に示すように総ての競馬場内外発信端末群６０から（電話回線経由投票データも含まれる）その投票データを収集する計算センタ及びその開催案内／出馬表／オッズ情報を蓄積した情報センタからなる綜合センタ４０と、そのバックアップセンタ５０に専用回線で接続し、投票データ申込処理又は各種情報照会処理を行い、その結果を各会員端末へ返信を行っている。
【０００５】
これらのサブシステムからなる投票システム１００はそれぞれ各種の障害に対応してシステムダウンとならないように２系統或いは冗長構成のシステムを構成し、さらに、インターネット接続部にはファイアウォール部を複数段設けて、開催日当日稼動中の高い信頼性が確実に維持されるようにして投票受付処理を行っていた。
【０００６】
しかしながら、そのような投票システム１００には以下のような問題点があった。すなわち、開催日に預金の引出・振込ができないため、予め開催日の前日までに投票資金を振り込んでおかなければならない。このため、会員であっても開催日当日のロック口座残高が少ないと希望の勝馬投票を電話回線経由でできない問題が多く発生していた。
【０００７】
【発明が解決しようとする課題】
本発明は前述した点に鑑みてなされたものであり、その目的とするところは、電話回線経由投票会員に対するサービス機能の一つとして、投票システムにおいてインターネットを介して投票する会員がその会員端末から投票依頼申込を行うに際して、開催日においてロック口座に残高が無いか少ない場合であっても、そのロック口座に、デビットカード或いはクレジットカードのキャッシュレス・カードによって資金を追加し、インターネットを介し会員端末から勝馬投票が行える手段を備えるシステムを提供することにある。
【０００８】
【課題を解決するための手段】
前記課題を解決するため、本発明のキャッシュレス・カード決済機能付電話回線経由投票システムは、競馬開催日に預金の引出・振込ができない契約がなされた金融機関の指定口座であるロック口座に投票資金を予め預金して勝馬投票が行える会員制の加入者が操作を行うＷｅｂブラウザを有するパソコンと、インターネット対応の各社携帯電話３２の各会員端末からそれぞれ対応するインターネット回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或いはその投票内容照会結果を前記応答サブシステムから前記インターネットを介して前記会員端末へ送信する複数の応答サブシステムからなる電話回線経由投票システムにおいて、
前記電話回線経由投票システムは会員のＷｅｂブラウザ付パソコンの会員端末からインターネットを経由して入力する投票依頼信号或はキャッシュレス・カード決済指令信号に応答するパソコン応答サブシステムと、会員のインターネット各社携帯電話の会員端末からそれぞれインターネット対応各社携帯電話のインターネット回線網を経由して入力する投票依頼信号或はキャッシュレス・カード決済指令信号に応答する各社携帯電話応答サブシステムと、その応答サブシステムからのカード決済要求に応答してインターネットを介してカードシステムセンタと交信し、カードＩＤコード・暗証番号及び名前により本人と利用限度額を確認し、加入者管理ファイルを作成しキャッシュレス・カードからロック口座の入金更新を行い、キャッシュレス・カードにより投票処理が応答サブシステムで可能にさせるカード決済サブシステムと、それら応答サブシステムと決済サブシステムを中継する中継サーバと総合運用監視装置とから構成され、
前記応答サブシステムは、それぞれファイアウォール、Ｗｅｂサーバ、投票応答コンピュータを備え、
前記投票応答コンピュータは、会員端末からの入力信号を受信する毎に投票依頼かカード決済かを判断しカードに関するデータが無ければ投票依頼として投票に関するデータに基づいて総合センタと交信し、投票受付処理或いは投票に関する各種情報照会処理を開始し、その処理結果を会員端末へ報告返信する投票応答手段と、入力信号の中にカードに関するデータが有ればカード決済として、そのカードに関するデータをカード決済サブシステムへ中継サーバを介して出力し、カード決済処理させるカード決済応答手段と、カード決済サブシステムにおいて、カードによる入金額をロック口座に加算処理した加入者管理ファイル１９ｚを作成し更新した結果をその決済サブシステムから中継サーバを介して入力し、当該会員端末へ送信し、表示させるファイルの更新データ送信・表示を行なう更新データ送信表示手段とを備え、
一方、カード決済サブシステムの決済コンピュータは、そのデータベースにロック口座、カードによる入金額を記録する加入者管理ファイルを設け、  応答コンピュータからのカード情報データを入力してそのデータのカードＩＤコード、暗証番号及び名前によりインターネットを介してカードシステセンタに本人確認と、カードによる利用限度額を照会確認するカード利用額確認手段と、カード利用限度額を確認すれば加入者管理ファイルのロック口座残高にカードによる入金額を加算更新しその処理結果を応答コンピュータへ中継サーバを介して出力するロック口座更新手段とを備えることを特徴とする。
【００１０】
また、競馬開催日に預金の引出・振込ができない契約がなされた金融機関の指定口座であるロック口座に投票資金を予め預金して勝馬投票が行える会員制の加入者が操作を行うＷｅｂブラウザを有するパソコンと、インターネット対応の各社携帯電話の各会員端末からそれぞれ対応するインターネット回線を経由して、それぞれに対応し応答サブシステムに接続して勝馬投票申込を行うアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或いはその投票内容照会結果を前記応答サブシステムから前記インターネットを介して前記会員端末へ送信する複数の応答サブシステムからなる電話回線経由投票システムにおいて、
前記電話回線経由投票システムは会員のＷｅｂブラウザ付パソコンの会員端末からインターネットを経由して入力する信号する応答パソコン応答サブシステムと、会員のインターネット対応各社携帯電話の会員端末からそれぞれインターネット対応各社携帯電話のインターネット回線網を経由して入力する信号に応答する各社携帯電話応答サブシステムと、その応答サブシステムからのカード決済に応答してインターネットを介してカードシステムセンタとインターネットを介し交信し、カード入金額照会確認し、加入者管理ファイルを作成更新し、カード入金を加算したロック口座によりがそれぞれの応答サブシステムで投票処理を可能とさせるカード決済サブシステムと、中継サーバと総合運用監視装置とから構成し、
前記応答サブシステムは、それぞれファイアウォール、Ｗｅｂサーバ、投票応答コンピュータを備え、
前記投票応答コンピュータは会員端末からの入力信号を受信して、投票データとキャッシュレス・カードに関するデータとからなる投票依頼信号に応答してカードに関するデータをカード決済サブシステムへ中継し処理させるカード加算データ中継手段と、もしカードに関するデータがなければ、通常の投票処理を行う投票データ処理手段とを備え、また、その投票応答コンピュータは、カード決済サブシステムにおける加入者管理ファイル作成した更新結果を中継サーバを介して入力し会員端末へ送信し表示させると共にカードデータと投票データにより投票処理手段を行う更新加入者管理ファイル送信・表示・投票データ処理手段とを備え、
前記カード決済サブシステムは、ファイアウォール、Ｗｅｂサーバ及びカード決済コンピュータとそのコンピュータにより管理されたデータベースを備え、そのデータベースはロック口座に加えてデビット或いはクレジットカード残高項目のある加入者管理ファイルをその中に設け、応答コンピュータからのカード情報データを入力して本人認証と利用限度額を照会確認するカード利用額確認手段と、確認すればその加入者管理ファイルのロック口座に加算するカード残高を更新し、その結果データを応答コンピュータへ中継サーバを介して出力するロック口座更新手段とを備え、
その開催１節終了後にカードで入金された投票資金をインターネットを介してカードシステムセンタへ請求して入金させる処理を行うことを特徴とする。
【００１２】
【発明の実施の形態】
本発明の実施の形態を以下図に基づいて説明する。
【００１３】
図１は本発明のキャッシュレス・カード決済昨日付電話回線経由投票システムの第一の実施の形態の構成の説明図を示す。
【００１４】
図１において、１０は第１の実施の形態の電話回線経由投票システム、３１は電話回線による投票会員のＷｅｂブラウザ付パソコン、３２は会員のインターネット対応各社携帯電話、９０は金融機関等のデビットカード或はクレジットカードシステムセンタ、４０は集計した投票データの計算センタ及び情報センタからなる総合センタ、５０はその総合センタのバックアップセンタ、６０は競馬場内外発信端末群を示す。また、２１はインターネット、２２はインターネット対応各社携帯電話それぞれのインターネット通信網を示す。
【００１５】
投票システム１０は会員のＷｅｂブラウザ付パソコン３１、３１の会員端末からインターネット２１を経由して入力する投票依頼信号或はキャッシュレス・カード決済指令信号に応答するパソコン応答サブシステム１１と、会員のインターネット各社携帯電話３２、３２の会員端末からそれぞれインターネット対応各社携帯電話のインターネット回線網２２を経由して入力する投票依頼信号或はキャッシュレス・カード決済指令信号に応答する各社携帯電話応答サブシステム１２と、その応答サブシステム１１、１２からのカード決済要求に応答してインターネット２１を介してカードシステムセンタ４０と交信し、カードＩＤコード・暗証番号及び名前により本人と利用限度額を確認し、加入者管理ファイル１９ｚを作成しキャッシュレス・カードからロック口座の入金更新を行い、キャッシュレス・カードにより投票処理が応答サブシステム１１、１２で可能にさせるカード決済サブシステム１９と、それら応答サブシステム１１、１２と決済サブシステム１９を中継する中継サーバ１８と総合運用監視装置１５とから構成される。
【００１６】
次に、それら応答サブシステム１１、１２、カード決済サブシステム１９について以下に詳細に説明する。
【００１７】
応答サブシステム１１、１２は、それぞれファイアウォール１１ａ、１２ｂ、Ｗｅｂサーバ１１ｂ、１２ｂ、投票応答コンピュータ１１ｃ、１２ｃからなる。
【００１８】
その投票応答コンピュータ１１ｃ、１２ｃは会員端末３１、３２からの入力信号を受信する毎に投票依頼かカード決済かを判断しカードに関するデータが無ければ投票依頼として投票に関するデータに基づいて総合センタ４０と交信し、投票受付処理或いは投票に関する各種情報照会処理を開始し、その処理結果を会員端末へ報告返信する投票応答手段１１ｘ、１２ｘを備える。
【００１９】
また、入力信号の中にカードに関するデータが有ればカード決済として、そのカードに関するデータをカード決済サブシステム１９へ中継サーバ１９を介して出力し、カード決済処理させるカード決済応答手段１１ｙ、１２ｙを備える。
【００２０】
また、カード決済サブシステム１９において、カードによる入金額をロック口座に加算処理した加入者管理ファイル１９ｚを作成し更新した結果をその決済サブシステム１９から中継サーバ１９を介して入力し、当該会員端末へ送信し、表示させるファイル１９ｚの更新データ送信・表示を行なう更新データ送信表示手段１１ｚを備える。
【００２１】
一方、カード決済サブシステム１９の決済コンピュータ１９ｃは、そのデータベース１９ｄにロック口座、カードによる入金額を記録する加入者管理ファイル１９ｚを設け、  応答コンピュータ１１、１２からのカード情報データを入力してそのデータのカードＩＤコード、暗証番号及び名前によりインターネット２１を介してカードシステセンタ９０に本人確認と、カードによる利用限度額を照会確認するカード利用額確認手段１９ｘを備える。
【００２２】
また、カード利用限度額を確認すれば加入者管理ファイル１９ｚのロック口座残高にカードによる入金額を加算更新しその処理結果を応答コンピュータ１１ｃ又は１２ｃへ中継サーバ１８を介して出力するロック口座更新手段１９ｙを備える。
【００２３】
次に、図２に本発明のキャッシュレス・カード決済機能付電話回線経由投票システムの第２の実施の形態の構成の説明図を示す。
【００２４】
図２において、１０′は第２の実施の形態の電話回線経由投票システムである。尚、図１と同じ符号番号３１、３２、２１、２２、４０、５０、６０、９０は第１の実施の形態と同一機能を示し、それらの説明は省略する。
【００２５】
投票システム１０′は会員のＷｅｂブラウザ付パソコン３１、３１の会員端末からインターネット２１を経由して入力する信号する応答パソコン応答サブシステム１１′と、会員のインターネット対応各社携帯電話３２、３２の会員端末からそれぞれインターネット対応各社携帯電話のインターネット回線網２２を経由して入力する信号に応答する各社携帯電話応答サブシステム１２′と、その応答サブシステム１１′、１２′からのカード決済に応答してインターネット２１を介してカードシステムセンタ９０とインターネットを介し交信し、カード入金額照会確認し、加入者管理ファイル１９′ｚを作成更新し、カード入金を加算したロック口座によりがそれぞれの応答サブシステム１１′、１２′で投票処理を可能とさせるカード決済サブシステム１９′と、中継サーバ１８′と総合運用監視装置１５′とから構成される。
【００２６】
次に、応答サブシステム１１′、１２′の投票応答コンピュータ１１′ｃ、１２′ｃの詳細を以下に説明する。
【００２７】
投票応答コンピュータ１１′ｃ、１２′ｃは会員端末３１、３２からの入力信号を受信して、投票データとキャッシュレス・カードに関するデータとからなる投票依頼信号に応答してカードに関するデータをカード決済サブシステム１９′へ中継し処理させるカード加算データ中継手段１１′ｘの１と、もしカードに関するデータがなければ、通常の投票処理を行う投票データ処理手段１１′ｘの２とを備え、また、その投票応答コンピュータ１１′ｃ、１２′ｃは、カード決済サブシステム１９′における加入者管理ファイル１９′ｚ作成した更新結果を中継サーバ１８を介して入力し会員端末へ送信し表示させると共にカードデータと投票データにより投票処理手段を行う更新加入者管理ファイル送信・表示・投票データ処理手段１１′ｙとを備える。
【００２８】
カード決済サブシステム１９′はファイアウォール１９′ａ、Ｗｅｂサーバ１９′ｂ及びカード決済コンピュータ１９′ｃとそのコンピュータにより管理されたデータベース１９′ｄを備える。
【００２９】
そのデータベース１９′ｄはロック口座に加えてデビット或いはクレジットカード残高項目のある加入者管理ファイル１９′ｚをその中に設ける。
【００３０】
応答コンピュータ１１′ｃ、１２′ｃからのカード情報データを入力して本人認証と利用限度額を照会確認するカード利用額確認手段１９′ｘと、
【００３１】
確認すればその加入者管理ファイル１９′ｚのロック口座に加算するカード残高を更新し、その結果データを応答コンピュータ１１′ｃ、１２′ｃへ中継サーバ１８を介して出力するロック口座更新手段１９′ｙを備える。
【００３２】
次に、第１の実施の形態（図１）の電話回線経由投票システム１０の動作の流れを図３に基づき説明する。
【００３３】
ここで、Ｓ３２はカード決済応答手段１１ｙ、１２ｙ、Ｓ３３はカード利用額確認手段１９ｘ、Ｓ３４はロック口座更新手段１９ｙ、Ｓ３５は更新データ送信表示手段１１ｚ、１２ｚ、Ｓ３７は投票応答手段１１ｘ、１２ｘの動作である。
【００３４】
次に、第２の実施の形態（図２）の電話回線経由投票システム１０′の動作の流れを図４に基づき説明する。
【００３５】
ここで、Ｓ４２はカード加算データ中継／投票データ処理手段１１′ｘ、１２′ｘを示す。Ｓ４３はカード利用額確認手段１９′ｘを示す。Ｓ４４はロック口座更新手段１９′ｙを示す。Ｓ４５は更新加入者管理ファイル送信・表示・投票データ処理手段１１′ｙ、１２′ｙの動作を示す。
【００３６】
尚、図５には第１の実施の形態の場合の会員端末３１、３２のロック口座の照会／入金処理画面のイメージを示す。ロック口座の残高は画面に△△円表示されるが次にカードによりロック口座へ入金額〇〇円を入力し、入金処理ボタンを押せばカード決済処理され、表示は更新される。
【００３７】
尚、ここでカードはデビットカードが、クレジットカードを含みしたものとしたが、項目を増やして分けて表示してもよい。
【００３８】
次に、図６には第２の実施の形態の場合の会員端末３１、３２の照会／投票処理画面のイメージを示す。照会処理では現在までのカードによる入金額とロック口座によるそれぞれの購入額を示し、さらにロック口座からの投票可能額を表示した例を示す。投票処理では図６に示すように３種の入金処理ボタンにより購入方法を選択することができる。
【００３９】
尚、第１の実施の形態と同様カードによる購入はデビットカードとクレジットカードに項目を分けてもよい。
【００４０】
尚、加入者管理ファイル１９ｚを決済コンピュータ１９ｃに設けて説明したが総合センター４０に設けても良い。
【００４１】
【発明の効果】
本発明のキャッシュレス・カード決済機能付電話回線経由投票システムは以下に示す効果を奏する。すなわち、デビットカード或はクレジットカード決済機能を有する電話回線経由投票システムは競馬開催日において、ロック口座残高で投票ができないときでも前記キャッシュレス・カードにより何時でも会員端末の画面からロック口座残高へ加算させてインターネット経由で勝馬投票を行うことができる。
【図面の簡単な説明】
【図１】本発明の電話回線経由投票システムの第１の実施の形態の説明図である。
【図２】本発明の電話回線経由投票システムの第２の実施の形態の説明図である。
【図３】本発明の第１の実施の形態の動作の流れ図である。
【図４】本発明の第２の実施の形態の動作の流れ図である。
【図５】本発明の第１の実施の形態の会員端末の照会／入金画面イメージ図である。
【図６】本発明の第２の実施の形態の会員端末の照会／投票画面イメージ図である。
【図７】従来の電話回線経由投票システムの説明図である。
【符号の説明】
１０、１０′  電話回線経由投票システムの第１及び第２の実施の形態
１１、１１′  パソコン応答サブシステム
１２、１２′  各社携帯電話応答サブシステム
１９、１９′  カード決済サブシステム
１１ａ、１１′ａ、１２ａ、１２′ａ、１９ａ、１９′ａ  ファイアウォール
１１ｂ、１１′ｂ、１２ｂ、１２′ｂ、１９ｂ、１９′ｂ  Ｗｅｂサーバ
１１ｃ、１１′ｃ、１２ｃ、１２′ｃ  投票応答コンピュータ
１１ｘ、１２ｘ  投票応答手段
１１ｙ、１２ｙ  カード決済応答手段
１１ｚ、１２ｚ  更新データ送信表示手段
１１′ｘ、１２′ｘ  カード加算データ中継／投票データ処理手段
１１′ｙ、１２′ｙ  更新加入者管理ファイル送信・表示・投票データ処理手段
１５、１５′  総合運用監視装置
１８、１８′  中継サーバ
１９ｃ、１９′ｃ  決済コンピュータ
１９ｄ、１９′ｄ  データベース
１９ｘ、１９′ｘ  カード利用額確認手段
１９ｙ、１９′ｙ  ロック口座更新手段
１９ｚ、１９′ｚ  加入者管理ファイル
２１  インターネット
２２  インターネット対応各社携帯電話網
３１  会員のＷｅｂブラウザ付パソコン
３２  会員のインターネット対応各社携帯電話
４０  総合センタ
５０  バックアップセンタ
６０  競馬場内外発信端末群
９０  カードシステムセンタ
【図１】
0003643887.tif 000002
【図２】
0003643887.tif 000003
【図３】
0003643887.tif 000004
【図４】
0003643887.tif 000005
【図５】
0003643887.tif 000006
【図６】
0003643887.tif 000007
【図７】
0003643887.tif 000008